【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
リソグラフィシステム（３００）のリソグラフィシステムユニット（３０１）において複数の基板（４０５）を処理する方法であり、前記リソグラフィシステムユニットは、少なくとも二つの基板準備ユニット（３６０）と、少なくとも第一および第二の基板位置を備えているロードロックユニット（３１０）と、前記基板準備ユニットと前記ロードロックユニットの間で基板を搬送するための基板ハンドリングロボット（４０１）を備えており、前記方法は、
Ｎ番目基板と、前記Ｎ番目基板のすぐ前のＮ−１番目基板と、前記Ｎ番目基板のすぐ後のＮ＋１番目基板を含む、露光される一連の基板（４０５）を前記ロボットに提供することと、
前記Ｎ番目基板（５０５）を前記ロボットによって前記基板準備ユニットの第一の一つに搬送することと、
前記Ｎ番目基板を前記第一の基板準備ユニットの第一の基板支持構造体（４０３）にクランプすることを有しており、前記Ｎ番目基板と前記第一の基板支持構造体は一緒にクランプされたＮ番目基板を形成し、また、
前記クランプされたＮ番目基板（５１７）を前記ロボットによって前記第一の基板準備ユニットから前記リソグラフィシステムユニットにおける露光のためのロードロックユニットの第一および第二の位置の占有されていない一つに搬送することと、
前記リソグラフィシステムユニットにおいて前記クランプされたＮ番目基板を露光することを有している、方法。
【請求項２】
前記クランプされたＮ番目基板は、前記リソグラフィシステムユニットにおける前記Ｎ−１番目基板の露光が完了される前に、前記ロードロックユニットに搬送される（５１７）、請求項１の方法。
【請求項３】
前記Ｎ＋１番目基板（５１５）を前記ロボットによって前記基板準備ユニットの第二のものに搬送することと、
前記Ｎ＋１番目基板を前記第二の基板準備ユニットの第二の基板支持構造体にクランプすることをさらに有しており、前記Ｎ＋１番目基板と前記第二の基板支持構造体は一緒にクランプされたＮ＋１番目基板を形成し、また、
前記クランプされたＮ＋１番目基板（５０７）を前記ロボットによって前記第二の基板準備ユニットから前記リソグラフィシステムユニットにおける露光のためのロードロックユニットの第一および第二の位置の占有されていない一つに搬送することをさらに有している、請求項１または２の方法。
【請求項４】
前記クランプされたＮ＋１番目基板は、前記リソグラフィシステムユニットにおける前記Ｎ番目基板の露光が完了される前に、前記ロードロックユニットに搬送される（５０７）、請求項３の方法。
【請求項５】
前記露光されたクランプされたＮ番目基板を、前記ロボットによって、前記クランプされたＮ＋１番目基板によって占有されたのとは違う前記ロードロックの前記第一および第二の位置の別の一つから前記第二の基板準備ユニットに搬送すること（５０８）と、
前記露光されたＮ番目基板を前記第二の基板準備ユニットの前記第一の基板支持構造体から切り離すことと、
前記リソグラフィシステムユニットからの取り外しのために前記露光されたＮ番目基板（５１３）を前記ロボットによって前記第二の基板準備ユニットから搬送することをさらに有しており、
前記クランプされたＮ＋１番目基板は、前記露光されたクランプされたＮ番目基板が前記ロードロックユニットから搬送される（５０８）前に、前記ロードロックユニットに搬送される（５０７）、先行請求項のいずれか一つに記載の方法。
【請求項６】
前記リソグラフィシステムユニットはさらに、基板ストレージユニット（４１０）を備えており、
前記方法はさらに、前記Ｎ番目基板（５０１）を前記ロボットによって前記基板ストレージユニットに搬送することを有しており、
前記Ｎ番目基板（５０５）を前記基板準備ユニットの第一の一つに搬送することは、前記Ｎ番目基板（５０５）を前記ロボットによって前記基板ストレージユニットから前記基板準備ユニットの第一の一つに搬送することを有している、先行請求項のいずれか一つに記載の方法。
【請求項７】
前記リソグラフィシステムユニットはさらに、基板インターフェースユニット（６４０）を備えており、前記インターフェースユニットは、基板配達ロボットと前記基板ハンドリングロボットの間の前記基板の搬送のために配されており、
前記Ｎ番目基板（５０１）を前記基板ストレージユニットに搬送することは、前記Ｎ番目基板（５０１）を前記ロボットによって前記インターフェースユニットから前記基板ストレージユニットに搬送することを有しており、
前記リソグラフィシステムユニットからの取り外しのために前記露光されたＮ番目基板（５１３）を搬送することは、前記リソグラフィシステムユニットからの取り外しのために前記露光されたＮ番目基板（５１３）を前記ロボットによって前記第二の基板準備ユニットから前記インターフェースユニットに搬送することを有している、請求項６の方法。
【請求項８】
前記リソグラフィシステムはさらに、前記基板を受け取り、それらを前記インターフェースユニットに水平に搬送するために、また、露光された基板を前記インターフェースユニットから搬送し、前記リソグラフィシステムユニットからの取り外しのためにそれらを水平に搬送するために配された水平搬送ロボットを備えており、前記方法はさらに、
前記Ｎ番目基板（５０１）を前記基板ストレージユニットに搬送する前に、前記Ｎ番目基板を前記水平搬送ロボットによって前記インターフェースユニットに搬送することと、
前記露光されたＮ番目基板を前記インターフェースユニットに前記基板ハンドリングロボットによって搬送した後に、前記露光されたＮ番目基板を前記インターフェースユニットから前記水平搬送ロボットによって搬送することを有している、請求項７の方法。
【請求項９】
前記第一および第二の基板準備ユニットと、前記ロードロックユニットの前記第一および第二の基板位置は、互いに対して鉛直に配されており、前記基板ハンドリングロボットは、前記基板準備ユニットと前記ロードロックユニットの前記第一および第二の基板位置の間で、前記基板を鉛直に搬送するために配されており、前記方法の前記搬送ステップは、前記基板ハンドリングロボットによる鉛直搬送を有している、先行請求項のいずれか一つに記載の方法。
【請求項１０】
前記リソグラフィシステムユニットはさらに、基板ストレージユニットとインターフェースユニットを備えており、前記第一および第二の基板準備ユニットと、前記ロードロックユニットの前記第一および第二の基板位置と、前記ストレージシステムと、前記インターフェースユニットは、互いに対して垂直に配されており、前記基板ハンドリングロボットは、前記基板準備ユニットと、前記ロードロックユニットの前記第一および第二の基板位置と、前記ストレージシステムと、前記インターフェースユニットの間で、前記基板を鉛直に搬送するために配されている、先行請求項のいずれか一つに記載の方法。
【請求項１１】
前に第三の基板支持構造体にクランプされ、前記リソグラフィ装置において露光された前記露光されたクランプされたＮ−１番目基板（５１８）を、前記ロボットによって、前記クランプされたＮ番目基板によって占有されたのとは違う前記ロードロックの前記第一および第二の位置の別の一つから前記第一の基板準備ユニットに搬送することと、
前記露光されたＮ−１番目基板を前記第一の基板準備ユニットの第三の基板支持構造体から切り離すことと、
前記リソグラフィシステムユニットからの取り外しのための前記露光されたＮ−１番目基板（５０３）を前記ロボットによって前記第一の基板準備ユニットから搬送することをさらに有しており、
前記クランプされたＮ番目基板は、前記リソグラフィ装置における前記クランプされたＮ−１番目基板の露光が完了される前に、前記ロードロックユニットに搬送される（５１７）、先行請求項のいずれか一つに記載の方法。
【請求項１２】
前記基板のおのおのを前記基板支持構造体の一つにクランプするのに先立って、前記基板準備ユニットの一つの所定の方位に向けて前記基板を事前整列させることを有している、先行請求項のいずれか一つに記載の方法。
【請求項１３】
前記基板のおのおのを前記基板支持構造体の一つにクランプするのに先立って、前記基板支持構造体から熱的エネルギーを除去することによる前記基板支持構造体の熱的コンディション調整をさらに有している、先行請求項のいずれか一つに記載の方法。
【請求項１４】
前記ロードロックは、ロードロックロボット（７２０）を備えており、前記方法はさらに、
前記ロードロックユニットの前記第一および第二の位置の占有されていない一つへの前記クランプされたＮ番目基板の搬送の後にロードロックユニットをポンプ引きすることと、
前記露光されたクランプされたＮ−１番目基板を、前記ロードロックロボットアームによって、前記リソグラフィシステムユニットから、ポンプ引きされたロードロックユニットの前記第一および第二の位置の占有されていない一つに搬送することと、
前記クランプされたＮ番目基板を、前記ロードロックロボットによって、前記ポンプ引きされたロードロックから前記リソグラフィシステムユニットの中に搬送することと、
前記露光されたクランプされたＮ−１番目基板を前記第一の基板準備ユニットに搬送する前に、前記ロードロックユニットを通気することをさらに有している、先行請求項のいずれか一つに記載の方法。
【請求項１５】
前記ポンプ引きされたロードロックユニットの前記第一および第二の位置は、互いに対して鉛直に配されており、前記ロードロックロボット（７２０）は、前記基板を前記第一の位置からおよびその位置に搬送するために配された上側ハンドリング本体（７０１ａ）と、前記基板を第二の位置からおよびその位置に搬送するために配された下側ハンドリング本体（７０１ｂ）を備えている、先行請求項のいずれか一つに記載の方法。